(57)【要約】【課題】  半導体パッケージの組立て方法及び半導体パッケージ工程の保護テープの除去装置を提供する。【解決手段】  保護テープが付着されたウェーハを切断して個別チップに分離した状態で半導体パッケージ製造用骨格材に接着させた後、保護テープを個別的に除去する方法及び装置。保護テープを除去せずにダイ接着工程を行うことによって半導体チップを損傷することなくチップを分離できる。【選択図】  図１２
2004207719.tif 000002
【特許請求の範囲】
【請求項１】
ウェーハの上面に回路領域を保護できる保護テープを付着する段階と、
前記ウェーハを切断して単位チップに分離する段階と、
前記個別チップを半導体パッケージ製造用骨格材に接着させる段階と、
前記半導体パッケージ製造用骨格材で前記保護テープの接着力を弱化させる段階と、
前記保護テープを前記個別チップから除去する段階と、を含むことを特徴とする個別チップから保護テープを除去する半導体パッケージの組立て方法。
【請求項２】
前記保護テープを付着する段階以後に前記ウェーハの下面を研磨する段階をさらに行うことを特徴とする請求項１に記載の個別チップから保護テープを除去する半導体パッケージの組立て方法。
【請求項３】
前記下面が研磨されたウェーハの厚さは、２００μｍ以下であることを特徴とする請求項２に記載の個別チップから保護テープを除去する半導体パッケージの組立て方法。
【請求項４】
前記半導体パッケージ製造用骨格材は、リードを外部連結端子として使用するリードフレームであることを特徴とする請求項１に記載の個別チップから保護テープを除去する半導体パッケージの組立て方法。
【請求項５】
前記半導体パッケージ製造用骨格材は、半田ボールを外部連結端子として使用する基板であることを特徴とする請求項１に記載の個別チップから保護テープを除去する半導体パッケージの組立て方法。
【請求項６】
前記保護テープの接着力は、紫外線によって弱まることを特徴とする請求項１に記載の個別チップから保護テープを除去する半導体パッケージの組立て方法。
【請求項７】
前記保護テープの接着力は、熱によって弱まることを特徴とする請求項１に記載の個別チップから保護テープを除去する半導体パッケージの組立て方法。
【請求項８】
前記保護テープは、前記チップのパターンを認識できるように透明であることを特徴とする請求項１に記載の個別チップから保護テープを除去する半導体パッケージの組立て方法。
【請求項９】
前記保護テープの厚さは、５００μｍ以下であることを特徴とする請求項１に記載の個別チップから保護テープを除去する半導体パッケージの組立て方法。
【請求項１０】
前記保護テープと前記ウェーハとの厚さ比率は１：１〜１：１０の範囲であることを特徴とする請求項９に記載の個別チップから保護テープを除去する半導体パッケージの組立て方法。
【請求項１１】
前記保護テープの厚さは、前記ウェーハの厚さによって変化することを特徴とする請求項９に記載の個別チップから保護テープを除去する半導体パッケージの組立て方法。
【請求項１２】
前記保護テープを個別チップごとに除去する方法は、真空で吸着して除去することを特徴とする請求項１に記載の個別チップから保護テープを除去する半導体パッケージの組立て方法。
【請求項１３】
前記保護テープを個別チップごとに除去する方法は、接着剤が塗布されたレリーズテープを圧着ピンで圧着して除去することを特徴とする請求項１に記載の個別チップから保護テープを除去する半導体パッケージの組立て方法。
【請求項１４】
前記保護テープを個別チップごとに除去する方法は、接着剤が塗布されたレリーズテープを平滑な圧着面を有した圧着ローラで圧着して除去することを特徴とする請求項１に記載の個別チップから保護テープを除去する半導体パッケージの組立て方法。
【請求項１５】
保護テープが付着された個別チップが搭載された半導体パッケージ製造用骨格材をローディングする本体と、
前記骨格材の上部に位置して前記保護テープを接着させて除去するレリーズテープと、
前記レリーズテープを前記保護テープに付着させる圧着手段と、
前記骨格材の上部に位置して前記レリーズテープを供給する供給ロールと、
前記骨格材の上部に位置して前記レリーズテープを巻取る巻取りロールと、を含むことを特徴とする半導体パッケージング工程の保護テープの除去装置。
【請求項１６】
前記レリーズテープの一面には接着剤が塗布されたことを特徴とする請求項１５に記載の半導体パッケージング工程の保護テープの除去装置。
【請求項１７】
前記圧着手段は、下方に移動して前記レリーズテープに前記保護テープを圧着する圧着ピンであることを特徴とする請求項１５に記載の半導体パッケージング工程の保護テープの除去装置。
【請求項１８】
前記圧着手段は、回転しつつ前記レリーズテープに前記保護テープを圧着する圧着面を有した圧着ローラであることを特徴とする請求項１５に記載の半導体パッケージング工程の保護テープの除去装置。
【請求項１９】
前記供給ロールと前記巻取りロール間に前記レリーズテープの張力を維持するためのガイドローラをさらに備えることを特徴とする請求項１５に記載の半導体パッケージング工程の保護テープの除去装置。
【請求項２０】
前記骨格材は、リードフレームあるいは回路パターンを有する基板であることを特徴とする請求項１５に記載の半導体パッケージング工程の保護テープの除去装置。
【発明の詳細な説明】
【技術分野】
【０００１】
半導体パッケージの組立て方法及び半導体パッケージ工程の保護テープの除去装置に係り、特に保護テープを付着した状態でダイ接着工程を進行し、個別チップから保護テープを除去する半導体パッケージの組立て方法及び半導体パッケージ工程の保護テープの除去装置に関する。
【背景技術】
【０００２】
一般的に、半導体製造工程は素子形成工程、パッケージ工程、検査工程に大きく分類される。このような工程のうちパッケージ工程は、ウェーハのチップを個別的に分離するためにウェーハを切断する切断工程、分離された個別チップをリードフレームのダイパッドに接着するダイ接着工程、チップのボンディングパッドをリードフレームのリードに電気的に連結するワイヤボンディング工程、ワイヤボンディングされたチップを成形樹脂に成形する成形工程、成形樹脂の外部に突出されたリードをメッキする半田付け工程、半田付けされたリードを所望の形態に折曲／切断工程及びパッケージ別に分離するシングレーション工程に分類される。      
【０００３】
以下、添付された図面を参照して半導体パッケージの組立て方法について説明する。図１ないし図４は、従来の半導体パッケージの組立て方法を説明する断面図及び斜視図である。
【０００４】
図１ないし図４を参照すれば、ウェーハ１０の上面に回路領域を保護できる保護テープ１２を付着する。次いで、下面研磨工程を行った後、ウェーハ１０は接着テープ２４によってジグ（図示せず）に固定される。保護テープ１２を除去する。ウェーハ１０が固定された前記ジグは、移送装置（図示せず）によってウェーハ切断設備５０に移送される。次いで、ウェーハ１０はウェーハ切断設備５０の本体２０の真空プレート２２にローディングされる。この時、接着テープ２４は切断工程が進行される時、個別チップ１０’が離脱することを防止する。
【０００５】
ここで、本体２０の上部にはウェーハ１０の上面に形成されたスクライブライン２６に沿ってウェーハ１０を切断してそれを個別チップ１０’に分離するブレード２８が配置される。ブレード２８は、下方に移動してウェーハ１０のスクライブライン２６と相接すると同時に回転モータ（図示せず）によって回転しつつ移動する。図２Ｂに示されたようにウェーハ１０はブレード２８の回転によって各々の個別チップ１０’に分離される。このような過程を通じてウェーハ１０の切断工程が完了する。
【０００６】
ウェーハ１０が個別チップ１０’に分離されれば、ダイ接着設備（図示せず）に装着されたピックアップコレット３０がウェーハ１０上に移動する。分離された個別チップ１０’に接触されたピックアップコレット３０は個別チップ１０’を真空吸着して接着テープ２４から分離させる。ダイ接着設備は、個別チップ１０’を半導体パッケージ製造用骨格材４０のチップパッドに整合する。次いで、接着剤及び接着用部材の硬化のためにキュアリングすることによってダイ接着工程を完了する。
【０００７】
図５は、従来の半導体パッケージの組立て方法を簡略に説明するフローチャートである。図５によれば、ウェーハ１０の上面に保護テープを付着する（Ｓ６０）。次いで、接着テープ２４によってウェーハ１０をジグに固定する（Ｓ６５）。保護テープ１２を除去する（Ｓ７０）。そして、ウェーハ１０を切断して個別チップ１０’に分離する（Ｓ７５）。個別チップ１０’についてダイ接着工程を行う（Ｓ８０）。
【０００８】
しかし、ピックアップコレット３０によって個別チップ１０’を接着テープ２４から分離する時、チップ１０’にクラックが発生する。特に、ウェーハ１０はＴＱＦＰ（Ｔｈｉｎ  Ｑｕａｄ  Ｆｌａｔ  Ｐａｃｋａｇｅ）、ＴＳＯＪ（Ｔｈｉｎ  Ｓｍａｌｌ  Ｏｕｔｌｉｎｅ  Ｊ−ｌｅａｄ）を適用するために下面研磨工程を進行して厚さを薄くする。ウェーハ１０の厚さが薄くなれば、このようなクラックの不良はさらに発生する。また、このような現象は、チップのサイズが大きくなるにつれてもさらに増加する。
【発明の開示】
【発明が解決しようとする課題】
【０００９】
本発明が解決しようとする技術的課題は、チップの損傷のない半導体パッケージの組立て方法を提供することである。        
【００１０】
また、本発明が解決しようとする他の技術的課題は、チップの損傷のない半導体パッケージ工程の保護テープの除去装置を提供することである。
【課題を解決するための手段】
【００１１】
前記課題を達成するための本発明による半導体パッケージの組立て方法は、まずウェーハの上面に回路領域を保護できる保護テープを付着する。次いで、前記ウェーハを下部にウェーハ支持用接着テープが付着されたジグに付着する。また、前記ウェーハを切断して単位チップに分離し、前記個別チップを半導体パッケージ製造用骨格材に接着させる。次いで、前記半導体パッケージ製造用骨格材で前記保護テープの接着力を弱化させる。最後に、前記保護テープを前記個別チップから除去する段階を含む。
【００１２】
本発明の半導体パッケージの組立て方法によれば、前記ウェーハの厚さは２００μｍ以下である。
【００１３】
本発明の半導体パッケージの組立て方法によれば、前記半導体パッケージ製造用骨格材はリードを外部連結端子として使用するリードフレームであるか、半田ボールを外部連結端子として使用する基板でありうる。
【００１４】
本発明の半導体パッケージの組立て方法によれば、前記保護テープの接着力は紫外線や熱によって弱まる。また、前記保護テープは前記個別チップのパターンを認識できるように透明であることが望ましい。また、前記保護テープの厚さは５００μｍ以下であることが望ましい。前記保護テープの厚さは前記ウェーハが薄くなるほど薄いものを使用するか、または前記ウェーハが厚くなるほど厚いものを使用することが望ましい。
【００１５】
本発明の半導体パッケージの組立て方法によれば、前記保護テープは接着剤が塗布されたレリーズテープを圧着ピンで圧着するか、または平滑な圧着面を有したローラで圧着して個別チップごとに別途に除去できる。
【００１６】
前記他の課題を達成するための本発明による半導体パッケージ工程の保護テープの除去装置は、保護テープが付着された個別チップが搭載された半導体パッケージ製造用骨格材をローディングする本体と、前記骨格材の上部に位置して前記保護テープを接着させて除去するレリーズテープと、前記レリーズテープを前記保護テープに付着させる圧着手段と、前記骨格材の上部に位置して前記レリーズテープを供給する供給ロールと、前記骨格材の上部に位置して前記レリーズテープを巻き取る巻取りロールと、を含む。
【００１７】
本発明の保護テープの除去装置によれば、前記圧着手段は下方に移動して前記レリーズテープに前記保護テープを圧着する圧着ピンであるか、回転しつつ前記レリーズテープに前記保護テープを圧着する圧着面を有した圧着ローラでありうる。
【００１８】
本発明の保護テープの除去装置によれば、前記供給ロールと前記巻取りロール間に前記レリーズテープの張力を維持するためのガイドローラをさらに備えられる。
【発明の効果】
【００１９】
本発明による半導体パッケージの組立て方法及び保護テープの除去装置によれば、保護テープを除去せずにダイ接着工程を行うことによってチップの損傷なしにチップを分離できる。
【発明を実施するための最良の形態】
【００２０】
以下、添付された図面を参照して、本発明をより詳細に説明する。本発明は、下記の実施例に限定されず、相異なる多様な形態に具現でき、本実施例は単に本発明の開示を完全にし、当業者に特許請求の範囲を完全に説明するために提供されるものである。したがって、図面での要素の形状は、さらに明確な説明を強調するために誇張されたものであり、図面上で同じ符号で表示された要素は同じ要素を意味する。説明の便宜のために本発明の実施例は半導体パッケージの組立て方法及び保護テープを除去する装置に分けて説明する。
【００２１】
＜半導体パッケージの組立て方法＞
図６は、本発明の実施例による半導体パッケージの組立て方法を簡略に説明したフローチャートである。図７ないし図１０は、本発明による半導体パッケージの組立て方法を説明する断面図である。
【００２２】
図６ないし図１０によれば、ウェーハ２０４の上面に保護テープ２０６を付着する（Ｓ１００）。次いで、接着テープ２００によってウェーハ２０４をジグ２０２に固定する（Ｓ１１０）。ウェーハ２０４を切断して個別チップ２０４’に分離する（Ｓ１２０）。個別チップ２０４’についてダイ接着工程を行う（Ｓ１３０）。次いで、保護テープ２０６’を除去する（Ｓ１４０）。本発明の実施例が従来に比べて異なる点は保護テープ２０６’を除去しない状態でダイ接着工程を行うことである。
【００２３】
図７ないし図１０を参照すれば、ウェーハ２０４の上面に回路領域を保護できる保護テープ２０６を付着する。次いで、下面研磨工程を行った後、ウェーハ２０４は接着テープ２００によってジグ２０２に固定される。ウェーハ２０４が固定されたジグ２０２は移送装置（図示せず）によってウェーハ切断設備（図２参照）に移送される。次いで、ウェーハ２０４はブレード２０８によって個別チップ２０４’に分離される。接着テープ２００は、切断工程が進行される時、個別チップ２０４’が離脱することを防止する。
【００２４】
ここで、保護テープ２０４は、ベースフィルムに熱または紫外線（ＵＶ：Ｕｌｔｒａ  Ｖｉｏｌｅｔ）によって接着力が調節される成分が塗布されている。本発明の実施例ではＵＶテープが使われた。ＵＶテープの保護テープ２０６は、他の種類のテープに比べてテープの除去後に個別チップ２０４’上に接着異物がほとんど存在しない。
【００２５】
保護テープ２０６は、ウェーハ切断工程時に個別チップ２０４’の上面のパターンを認識を容易にするために透明であることが望ましい。また、保護テープ２０６は、個別チップ２０４’を接着テープ２００から分離する時、個別チップ２０４’の破損を防止するために５００μｍ以下の厚さのものを使用する。例えば、チップのサイズが小さければ相対的に薄いテープ２０６を使用し、チップのサイズが大きければ厚いテープ２０６を使用する。
【００２６】
ウェーハ２０４が個別チップ２０４’に分離されれば、ダイ接着設備（図示せず）に装着されたピックアップコレット（図３ａ参照）が個別チップ２０４’に移動する。分離された個別チップ２０４’に接触した前記ピックアップコレットは、個別チップ２０４’を真空吸着して接着テープ２００から分離させる。ダイ接着設備は、個別チップ２０４’を半導体パッケージ製造用骨格材２１０のチップパッドに整合する。次いで、接着剤及び接着用部材の硬化のためにキュアリングすることによってダイ接着工程を完了する。半導体パッケージ製造用骨格材２１０は、リードを外部連結端子として使用するリードフレームであるか、半田ボールを外部連結端子として使用する基板でありうる。場合によって、前記キュアリング工程は、保護テープ２０６’を除去した後に行える。
【００２７】
次いで、保護テープ２０６’の接着力を紫外線や熱によって弱化させる。本発明の実施例で使われたＵＶテープの保護テープ２０６’の接着力を弱化させるためにＵＶランプ２１２を使用する。例えば、水銀灯から発生する５００ｊｏｕｌｅ光量を厚さ１３０μｍないし１５０μｍの保護テープ２０６’上に約８秒程度照射する。ＵＶテープは接着剤内の構成成分のうちフォトイニシエータが反応して周辺の接着成分を硬化させることによって接着力が弱まる。接着力の弱まった保護テープ２０６’は、除去装置によって個別チップ２０２’から除去される。保護テープ２０６’を除去する装置については後述する。
【００２８】
本発明の実施例によるウェーハ２０４の厚さは、２００μｍ以下であることがさらに効果的である。本発明の実施例で使われたウェーハ２０４の厚さは５０μｍである。したがって、本発明の実施例によれば、チップの損傷なしに半導体パッケージ工程でチップを分離できた。
【００２９】
＜保護テープの除去装置＞
図１１及び図１２は、本発明の実施例による半導体パッケージ工程の保護テープの除去装置を説明する断面図である。
【００３０】
図１１及び図１２を参照すれば、除去装置は保護テープ２０６’を付着した個別チップ２０４’が接着された半導体パッケージ製造用骨格材２１０を載置する本体３０２と、骨格材２１０の上部に位置して保護テープ２０６’の上面に付着されるレリーズテープ３０８と、レリーズテープ３０８を保護テープ２０６’に付着させる圧着手段及び骨格材２１０の上部に位置してレリーズテープ３０８を供給する供給ロール３０４と、骨格材２１０の上部に位置してレリーズテープ３０８を巻き取る巻取りロール３０６と、供給ロール３０４と巻取りロール３０６間にレリーズテープ３０８の張力を維持するためのガイドローラ３１２と、を含む。
【００３１】
前記圧着手段は、下方に移動してレリーズテープ３０８に保護テープ２０６’を圧着する圧着ピン３１０と、回転しつつレリーズテープ３０８に保護テープ２０６’を圧着する圧着面３１６を有した圧着ローラ３１４とでありうる。圧着ピン３１０の断面積及び圧着面３１６の面積は、個別チップ２０４’のサイズによって変わる。また、保護テープ２０６’が付着されるレリーズテープ３０８の一面には接着剤が塗布されている。
【００３２】
保護テープ２０６’の除去方法を説明する。供給ロール３０４でレリーズテープ３０８を供給する。レリーズテープ３０８は、ガイドローラ２１２によって支持されつつ巻取りロール３０６に巻き取られる。圧着ピン３１０の場合、圧着ピン３１０は、下方に移動してレリーズテープ３０８を押さえて保護テープ２０６’を付着する。圧着ピン３１０が上方に移動すれば、レリーズテープ３０８の進行によって保護テープ２０６’は除去される。
【００３３】
圧着ローラ３１４の場合、圧着ローラ３１４は、回転しつつ圧着面３１６に押さえられたレリーズテープ３０８に保護テープ２０６’を付着させる。レリーズテープ３０８が巻取りロール３０６に向けて進行するにつれて保護テープ２０６’は除去される。この方法は骨格材２１０上に多数のチップ２０４’が存在する場合に効率的な除去手段である。場合によって、圧着ローラ３１４の回転中心を偏心できる。また、圧着ローラ３１４の直径及び回転速度は必要に応じて適切に設定できる。
【００３４】
＜変形例＞
前述した本発明の実施例ではレリーズテープを利用した保護テープの除去装置にだけ限定して説明した。しかし、保護テープを除去する方法には一定の制限がない。例えば、本発明の変形例を説明する。
【００３５】
図１３は、真空で吸着して保護テープを除去する装置を説明する断面図である。
図１３を参照すれば、除去装置は保護テープ２０６’を付着した個別チップ２０４’が接着された半導体パッケージ製造用骨格材２１０をローディングする本体３０２及び真空吸着部３１８を備える。真空吸着部３１８は、紫外線や熱によって接着力が弱まった保護テープ２０６’に移動する。次いで、保護テープ２０６’を吸着する。場合によっては、真空吸着部３１８をダイ接着設備に２つ以上装着できる。
【００３６】
以上、本発明を詳細に説明したが、本発明は前記実施例に限定されず、当業者によって多くの変形及び改良が可能である。
【産業上の利用可能性】
【００３７】
本発明は半導体チップをリードフレームや印刷回路基板上に搭載して加工する半導体組立て工程中、ウェーハの切断工程から封止樹脂を利用した密封工程前まで利用されうる。
【図面の簡単な説明】
【００３８】
【図１】従来の半導体パッケージの組立て方法を説明する断面図である。
【図２Ａ】従来の半導体パッケージの組立て方法を説明する斜視図である。
【図２Ｂ】従来の半導体パッケージの組立て方法を説明する断面図である。
【図３Ａ】従来の半導体パッケージの組立て方法を説明する斜視図である。
【図３Ｂ】従来の半導体パッケージの組立て方法を説明する断面図である。
【図４】従来の半導体パッケージの組立て方法を説明する断面図である。
【図５】従来の半導体パッケージの組立て方法を説明するフローチャートである。
【図６】本発明による半導体パッケージの組立て方法を説明するフローチャートである。
【図７】本発明による半導体パッケージの組立て方法を説明する断面図である。
【図８】本発明による半導体パッケージの組立て方法を説明する断面図である。
【図９】本発明による半導体パッケージの組立て方法を説明する断面図である。
【図１０】本発明による半導体パッケージの組立て方法を説明する断面図である。
【図１１】本発明による半導体パッケージ工程の保護テープの除去装置を説明する断面図である。
【図１２】本発明による半導体パッケージ工程の保護テープの除去装置を説明する断面図である。
【図１３】本発明の変形例による半導体パッケージ工程の保護テープの除去装置を説明する断面図である。
【符号の説明】
【００３９】
２０４’  個別チップ
２０６’  保護テーブ
２１０  骨格材
３０２  本体
３０４  供給ロール
３０６  巻取りロール
３０８  レリーズテープ
３１４  圧着ローラ
３１６  圧着面
【図１】
2004207719.tif 000003
【図２Ａ】
2004207719.tif 000004
【図２Ｂ】
2004207719.tif 000005
【図３Ａ】
2004207719.tif 000006
【図３Ｂ】
2004207719.tif 000007
【図４】
2004207719.tif 000008
【図５】
2004207719.tif 000009
【図６】
2004207719.tif 000010
【図７】
2004207719.tif 000011
【図８】
2004207719.tif 000012
【図９】
2004207719.tif 000013
【図１０】
2004207719.tif 000014
【図１１】
2004207719.tif 000015
【図１２】
2004207719.tif 000016
【図１３】
2004207719.tif 000017